(57)【特許請求の範囲】
【請求項１】
複数の便器と、
前記複数の便器から排出された排出物及び該排出物を搬送する搬送水を流通させる横管と、
上流側が前記横管における前記複数の便器のうちの最も上流側の便器よりも上流側に接続されると共に前記横管と並行して延びる部分を有するオーバーフロー管と、
前記横管における前記オーバーフロー管が接続された部分よりも上流側に水を供給する供給手段と、を備えるトイレシステムであって、
前記オーバーフロー管は、前記複数の便器の溢れ面よりも下方の位置に配置されるトイレシステム。
【請求項２】
前記横管の下流側に接続され、前記横管を流通される排出物及び搬送水を貯留する水槽と、
前記水槽に貯留される前記搬送水を前記横管における前記オーバーフロー管が接続された部分よりも上流側に循環させる循環ラインと、
前記水槽に貯留される前記搬送水を前記循環ラインに送出する循環ポンプと、を更に備え、
前記供給手段は、前記循環ポンプである請求項１に記載のトイレシステム。
【請求項３】
前記オーバーフロー管の下流側の端部は、前記水槽における気相部分に直接的に又は間接的に接続される請求項２に記載のトイレシステム。
【請求項４】
前記オーバーフロー管の水位を検知する水位検知センサと、
前記水位検知センサで検知された水位が所定の水位を上回った場合に、前記循環ポンプの駆動を停止させ、又は、外部に異常を報知するように制御する制御部と、を更に備える請求項２又は３に記載のトイレシステム。
【発明の詳細な説明】
【技術分野】
【０００１】
本発明は、トイレシステムに関する。
【背景技術】
【０００２】
従来、複数の便器と、複数の便器の下方に配置され複数の便器から排出される汚物（排出物）及び汚物を搬送する水を流通させる横管と、横管の上流部に水を供給する供給部と、を備えるトイレシステムが知られている（例えば、特許文献１参照）。
【先行技術文献】
【特許文献】
【０００３】
【特許文献１】特開２０１４−２９３号公報
【発明の概要】
【発明が解決しようとする課題】
【０００４】
特許文献１に記載のトイレシステムにおいては、横管が途中で詰まると、横管における詰まった部分よりも上流側において、横管を流通する汚物（排出物）及び水が便器側に逆流して、便器から汚物及び水が溢れ出す可能性がある。
【０００５】
本発明は、便器から排出物及び水が溢れ出すことを抑制することができるトイレシステムを提供することを目的とする。
【課題を解決するための手段】
【０００６】
本発明は、複数の便器と、前記複数の便器から排出された排出物及び該排出物を搬送する搬送水を流通させる横管と、上流側が前記横管における前記複数の便器のうちの最も上流側の便器よりも上流側に接続されると共に前記横管と並行して延びる部分を有するオーバーフロー管と、前記横管における前記オーバーフロー管が接続された部分よりも上流側に水を供給する供給手段と、を備えるトイレシステムであって、前記オーバーフロー管は、前記複数の便器の溢れ面よりも下方の位置に配置されるトイレシステムに関する。
【０００７】
また、前記横管の下流側に接続され、前記横管を流通される排出物及び搬送水を貯留する水槽と、前記水槽に貯留される前記搬送水を前記横管における前記オーバーフロー管が接続された部分よりも上流側に循環させる循環ラインと、前記水槽に貯留される前記搬送水を前記循環ラインに送出する循環ポンプと、を更に備え、前記供給手段は、前記循環ポンプであることが好ましい。
【０００８】
また、前記オーバーフロー管の下流側の端部は、前記水槽における気相部分に直接的に又は間接的に接続されることが好ましい。
【０００９】
また、前記オーバーフロー管の水位を検知する水位検知センサと、前記水位検知センサで検知された水位が所定の水位を上回った場合に、前記循環ポンプの駆動を停止させ、又は、外部に異常を報知するように制御する制御部と、を更に備えることが好ましい。
【発明の効果】
【００１０】
本発明によれば、便器から排出物及び水が溢れ出すことを抑制することができるトイレシステムを提供することができる。
【図面の簡単な説明】
【００１１】
【図１】本発明に係る第１実施形態のトイレシステム１を示す図である。
【発明を実施するための形態】
【００１２】
図１に示すように、一実施形態のトイレシステム１は、複数の便器２と、複数の便器排出管３と、横管４と、水槽６と、オーバーフロー管５と、循環ラインとしての循環配管７と、負圧用配管７４と、水槽排水管９と、横管点検管４１と、オーバーフロー管点検管５３と、下流側循環路点検管７３と、循環ポンプ１１と、負圧ファン１２と、水位検知部としての水位検知センサ１３と、制御部１０と、を備える。なお、図１では、電気的な接続の経路を破線で示す。
【００１３】
複数の便器２は、例えば、ビルやマンションの所定の階において、床面１０１上に、所定の方向に並んで設置されている。床面１０１は、複数の便器２を設置する設置面である。複数の便器２の下部には、それぞれ、便器排出管３が接続されている。便器２は、便鉢２１と、便鉢２１の上部に便鉢２１に対して開閉可能に取り付けられる便座２２及び便蓋２３と、を含んで構成される。
【００１４】
便鉢２１の上端縁には、溢れ面２１ａが形成される。本実施形態においては、溢れ面２１ａとは、便鉢２１に水が導入され続けた場合に、水が溢れ出る便鉢２１の上端縁を含む水平面をいう。
【００１５】
便鉢２１の下部には下部開口２１ｂが形成されている。便鉢２１の下部開口２１ｂからは、排泄物等の汚物（排出物）が排出される。
なお、便器２は、水で便鉢の洗浄を行わない無水方式の便器であってよいし、水で便鉢の洗浄を行う洗浄方式の便器であってもよい。洗浄方式の便器の場合には、便鉢２１の下部開口２１ｂからは、排泄物等の汚物のほかに、排泄物等の汚物の洗浄の際に使用した洗浄水も排出される。
【００１６】
便器２は、下部開口２１ｂを開閉するフラッパ機構を有する。フラッパ機構は、フラッパ弁２４と、フラッパ弁回動軸（図示せず）と、を備える。フラッパ弁２４は、便鉢２１の下部開口２１ｂを開閉可能に構成される。フラッパ弁２４は、錘が取り付けられたバランスアーム部（図示せず）を有する。
【００１７】
フラッパ弁２４の上面に溜められた汚物の重みが、バランスアーム部における錘の重みに対して大きくなると、フラッパ弁２４がフラッパ弁回動軸の周りに下方に回動して、下部開口２１ｂが開放される。これにより、フラッパ弁２４の上面に溜められた汚物は、下部開口２１ｂを介して排出される。汚物が排出された後には、フラッパ弁２４は、下部開口２１ｂを閉止する位置に戻る。
フラッパ機構においては、機械的な構造であるため、フラッパ弁２４が下部開口２１ｂを開放してから、フラッパ弁２４が下部開口２１ｂを閉止するまでに、所定の時間を要する。
【００１８】
複数の便器排出管３は、複数の便器２から排出された排泄物等の汚物を横管４に導出する。複数の便器排出管３は、それぞれ、複数の便器２の下部から、下方に延びる。
便器排出管３３の上端部は、接続ソケット２５を介して、便鉢２１の下端部と接続されている。接続ソケット２５は、床面１０１に取り付けられ、床面１０１から上方に延びる管状に形成される。便鉢２１の下端部と接続ソケット２５との接続部分には、パッキン（図示せず）が挟み込まれている。
複数の便器排出管３の下端部は、横管４に接続されている。
【００１９】
横管４は、複数の便器２の下方に、横方向に延びて配置される。横管４は、床面１０１の下方において、複数の便器２が並ぶ方向に沿って直線状に延びる。横管４は、水槽６側が下になるように僅かに下り傾斜した直線状に形成される。横管４の上部には、複数の便器２それぞれが配置される位置において、複数の便器排出管３の下端部が接続されている。
【００２０】
横管４は、最上流部４ａから水槽６まで延びる。最上流部４ａは、横管４における最も上流側の端部であり、横管４におけるオーバーフロー管５（後述）が接続された上流部分４ｂよりも上流側に位置する。横管４における上流部分４ｂは、複数の便器２のうちの最も上流側の便器２よりも上流側の部分であり、オーバーフロー管５（後述）が接続さている。
横管４における最上流部４ａには、後述する循環配管７により循環される搬送水が供給される。
【００２１】
横管４には、最上流部４ａにおいて、循環配管７（後述）により循環される搬送水が供給されており、横管４は、複数の便器２から排出された排泄物等の汚物及び汚物を搬送する搬送水を水槽６へ向けて流通させる。本実施形態においては、搬送水は、汚物を搬送するための水である。
【００２２】
本実施形態においては、汚物及び搬送水が横管４を流通する場合には、汚物及び搬送水は、横管４の内部における上方に空間を有した状態で且つ下方側に溜まった状態で、横管４を流通する。そのため、横管４の内部には、汚物及び搬送水が流通する液相部分と、気体が存在する気相部分と、が存在する。
【００２３】
横管４の下流側の端部は、水槽６の気相部分に接続されている。横管４の気相部分と水槽６（後述）の気相部分とは、連通している。
【００２４】
横管４の最上流部４ａには、横管点検管４１が接続されている。横管点検管４１は、横管４の上流側の端部から側方に延出する。横管点検管４１における横管４と反対側の端部には、横管点検口４１１が形成されている。
【００２５】
横管点検口４１１は、床面１０１の下方において、側方に向けて開口している。横管点検口４１１は、横管４の点検や清掃を行う際に使用されるものである。横管点検口４１１は、横管点検口カバー部材４１２により塞がれている。
【００２６】
水槽６は、横管４の下流側の端部に接続されている。水槽６は、横管４を流通される汚物及び搬送水を貯留するタンクである。水槽６は、床面１０１の下方に配置されている。水槽６には、上方に空間を有した状態で、汚物及び搬送水が貯留される。そのため、水槽６の内部には、汚物及び搬送水が貯留される液相部分と、気体が存在する気相部分と、が存在する。
【００２７】
循環配管７は、水槽６に貯留される搬送水を、横管４における最上流部４ａに循環させる。循環配管７は、上流側循環路７１と、下流側循環路７２と、を有する。
【００２８】
上流側循環路７１の上流側の端部は、水槽６の液相部分に配置される循環ポンプ１１に接続されている。上流側循環路７１の下流側の端部は、下流側循環路７２の上端部７２ａに接続されている。
【００２９】
下流側循環路７２は、立ち上がった状態で、横管４の最上流部４ａに接続されている。下流側循環路７２の下端部は、横管４の最上流部４ａに接続されている。下流側循環路７２の上端部７２ａの側部には、上流側循環路７１の下流側の端部が接続されている。これにより、下流側循環路７２は、上流側循環路７１により循環された搬送水を、横管４の最上流部４ａに供給する。
【００３０】
下流側循環路７２の上端部７２ａには、下流側循環路点検管７３が接続されている。下流側循環路点検管７３は、下流側循環路７２の上端部７２ａから上方に延出する。下流側循環路点検管７３における下流側循環路７２と反対側の端部には、下流側循環路点検口７３１が形成される。
【００３１】
下流側循環路点検口７３１は、床面１０１の上方において、上方に向けて開口している。下流側循環路点検口７３１は、下流側循環路７２の点検や清掃を行う際に使用されるものである。下流側循環路点検口７３１は、下流側循環路点検口カバー部材７３２により塞がれている。
【００３２】
循環ポンプ１１は、水槽６の液相部分に配置されている。循環ポンプ１１は、水槽６に貯留された搬送水を、循環配管７に送出する。循環ポンプ１１は、循環配管７を介して、水槽６に貯留された搬送水を、横管４の最上流部４ａに供給する。循環ポンプ１１は、搬送水を、横管４の最上流部４ａに供給する供給手段を構成する。
【００３３】
オーバーフロー管５は、横管４から立ち上がって、所定高さにおいて水槽６側に屈曲し、水槽６側の横方向に延び、水槽６に接続される。オーバーフロー管５は、複数の便器２の溢れ面２１ａよりも下方の位置に配置される。本実施形態においては、横管４と床面１０１との間の位置で、横管４において詰まりが発生した場合に、横管４から溢れた水を逃がすように構成される。
【００３４】
オーバーフロー管５は、縦オーバーフロー管５１と、横オーバーフロー管５２と、を有する。
【００３５】
縦オーバーフロー管５１は、横管４から立ち上がって形成される。縦オーバーフロー管５１の上流側の端部（下端部）は、横管４における上流部分４ｂに接続される。横管４における上流部分４ｂは、横管４における複数の便器２のうちの最も上流側の便器２ａよりも上流側の部分であって、横管４における最上流部４ａよりも下流側の部分である。縦オーバーフロー管５１の下流側の端部（上端部）５１ａは、横管４と床面１０１との間の高さに位置する。縦オーバーフロー管５１の上端部（下流側の端部）５１ａは、横オーバーフロー管５２とオーバーフロー管点検管５３とに分岐している。
【００３６】
横オーバーフロー管５２は、オーバーフロー管５における横管４と並行して延びる部分である。横オーバーフロー管５２は、横管４と床面１０１との間において、縦オーバーフロー管５１の上端部５１ａから水槽６側の横方向に直線状に延びる。横オーバーフロー管５２は、水槽６側が下になるように僅かに傾斜した直線状に形成される。なお、横オーバーフロー管５２は、横管４と並んで延びる部分であればよく、横管４と平行でなくてもよい。
横オーバーフロー管５２の上流側の端部は、縦オーバーフロー管５１の上端部５１ａに接続されている。横オーバーフロー管５２の下流側の端部は、水槽６における気相部分に直接的に又は間接的に接続されている。
【００３７】
以上の横オーバーフロー管５２は、横管４において詰まりが発生した場合に、横管４から溢れて縦オーバーフロー管５１に流入された水を、高さ方向において、便器２の溢れ面２１ａよりも下方の位置（縦オーバーフロー管５１の上端部５１ａ）で、横オーバーフロー管５２により、横方向に逃がす。そして、横オーバーフロー管５２は、横方向に逃がした水を水槽６に向けて流通させる。
【００３８】
以上のように構成されるオーバーフロー管５は、上流側の端部（縦オーバーフロー管５１の上流側の端部（下端部））が横管４の気相部分に接続され、下流側の端部（横オーバーフロー管５２の下流側の端部）が水槽６の気相部分に接続されている。そのため、オーバーフロー管５は、横管４と水槽６とを連通させており、オーバーフロー管５に水が流入していない状態において、横管４の気相部分と水槽６の気相部分との間において気体を通気させる通気管として機能する。
【００３９】
縦オーバーフロー管５１の上端部（下流側の端部）には、オーバーフロー管点検管５３が接続されている。オーバーフロー管点検管５３は、縦オーバーフロー管５１の上端部（下流側の端部）５１ａから上方に延出する。オーバーフロー管点検管５３には、オーバーフロー管点検口５３１が形成されている。オーバーフロー管点検口５３１は、床面１０１の下方において、上方に向けて開口している。オーバーフロー管点検口５３１は、オーバーフロー管５及び横管４の点検や清掃を行う際に使用されるものである。オーバーフロー管点検口５３１は、オーバーフロー管点検口カバー部材５３２により塞がれている。
【００４０】
水位検知センサ１３は、オーバーフロー管５の水位を検知するセンサである。水位検知センサ１３は、縦オーバーフロー管５１の内部において、横管４の上部から所定の高さの位置に取り付けられる。水位検知センサ１３は、制御部１０と電気的に接続されている。水位検知センサ１３により検知された水位は、制御部１０へ検出信号として送信される。
【００４１】
負圧用配管７４は、水槽６の上部から上方に向けて延びている。負圧用配管７４の上流側の端部は、水槽６の気相部分に接続されている。負圧用配管７４の下流側の端部は、水槽６の外部に開放している。
【００４２】
負圧ファン１２は、負圧用配管７４の途中に配置されている。負圧ファン１２は、横管４の気相部分の内部が負圧になるように、水槽６の気相部分の空気（気体）を吸引する。
【００４３】
水槽排水管９は、水槽６に貯留された搬送水を排水として、水槽６の外部に排出する。水槽排水管９の上流側の端部は、水槽６の液相部分に接続されている。水槽排水管９の下流側は、下水道管などの放流先に接続されている。
【００４４】
水槽排水管９の途中には、排水トラップ９１が配置されている。排水トラップ９１は、下方に凸となるＵ字状のＵ字管により形成され、空気の流通を遮断する封水部９１１（遮断部）を形成する。封水部９１１は、排水トラップ９１のＵ字管における水が溜まった部分により構成される。排水トラップ９１は、封水部９１１に排水を溜めることで、水槽排水管９の排水流路を封水により塞いで、放流先から臭気や害虫が水槽６へ侵入することを防止できる。また、水槽６、横管４およびオーバーフロー管５全体の空間を、負圧ファン１２の利用により、効率的に負圧に保つことができる。
【００４５】
制御部１０は、循環ポンプ１１、負圧ファン１２、水位検知センサ１３等と電気的に接続される。制御部１０は、トイレシステム１の各種の制御を実行する。例えば、制御部１０は、次のような制御を実行する。
【００４６】
制御部１０は、横管４の気相部分が負圧となるように、水槽６の気相部分の空気（気体）を吸引するように、負圧ファン１２を制御する。
制御部１０は、水槽６に貯留された搬送水を循環配管７に送出するように、循環ポンプ１１の駆動を制御する。例えば、制御部１０は、所定時間毎（例えば、１５分毎、３０分毎、１時間毎）に、所定時間駆動を行うように、循環ポンプ１１の駆動を制御する。
制御部１０は、横管４から溢れてオーバーフロー管５に流入した搬送水の水位が所定の水位を上回ったと水位検知センサ１３で検知された場合に、循環ポンプの駆動を停止させ、又は、外部に異常を報知するように制御する。例えば、制御部１０は、横管４が詰まったことの異常を、表示部（ディスプレイ等）、音声部（ブザーやスピーカー等）、発光部（ランプ等）などの報知部（図示せず）により、外部に報知する。
【００４７】
次に、本実施形態のトイレシステム１の動作について説明する。
まず、本実施形態のトイレシステム１の使用状態においては、複数の便器２の下方に配置される横管４の気相部分が負圧となるように、制御部１０による制御を実行する。
具体的には、制御部１０は、水槽６の気相部分の空気（気体）を吸引するように、負圧ファン１２を制御する。これにより、水槽６の気相部分が負圧となることで、水槽６の気相部分に連通する横管４の気相部分も負圧となる。また、水槽６の気相部分が負圧となることで、オーバーフロー管５の内部が負圧となり、横管４の気相部分も負圧となる。よって、横管４の気相部分が負圧となるため、フラッパ弁２４が開放している場合であっても、横管４を流通する汚物及び搬送水の臭気が、便器２へ逆流することを低減することができる。
【００４８】
特に、本実施形態における便器２のフラッパ弁機構は、機械的な構造であり、フラッパ弁２４が開放されてから閉止されるまでに、時間を要する。そのため、フラッパ弁２４が開放されてから閉止されるまでに時間を要しても、横管４を流れる汚物及び搬送水からの臭気が便器２の内部からトイレ室内に入ってくることを効果的に抑制できる。
【００４９】
また、水槽排水管９に排水トラップ９１を設けている。そのため、排水トラップ９１の封水部９１１により、水槽６の気相部分を負圧ファン１２により負圧にする際において、水槽排水管９からの空気の侵入を抑制して、効率的に、水槽６の気相部分を負圧にすることができる。
【００５０】
次に、横管４の気相部分を負圧にした状態で、水槽６に貯留された搬送水を横管４の最上流部４ａに供給する。具体的には、制御部１０は、水槽６に貯留された搬送水を循環配管７に送出するように、循環ポンプ１１の駆動を制御する。例えば、制御部１０は、所定時間毎（例えば、１５分毎、３０分毎、１時間毎）に、所定時間駆動を行うように、循環ポンプ１１の駆動を制御する。このようにして、循環ポンプ１１は、水槽６に貯留された搬送水を横管４に循環させる。
【００５１】
これにより、横管４に汚物等の詰まりがない場合には、横管４の最上流部４ａに供給された搬送水により、便器２から横管４に汚物は、水槽６に向けて搬送され、水槽６に貯留される。水槽６に貯留された搬送水は、循環ポンプ１１が駆動されることで、循環配管７に送出される。水槽６から循環配管７に送出された搬送水は、横管４の最上流部４ａに供給される。そして、再び、横管４の最上流部４ａに供給された搬送水により、便器２から横管４に排出された汚物は、水槽６に向けて搬送される。このように、横管４に搬送水が循環される動作が繰り返される。なお、便器２からの汚物や洗浄水の投入により増加した排水は、水槽排水管９を経て下水道管などに排水される。
【００５２】
ここで、水槽６に貯留された搬送水は、横管４の最上流部４ａに供給される。そのため、循環配管７により循環させる搬送水の汚れが、横管４の上流側に溜まり難くなる。更に、下流側循環路７２から上方に延びる下流側循環路点検管７３の上端部には、下流側循環路点検口７３１が形成される。そのため、下流側循環路点検口７３１により、下流側循環路７２の清掃を行うことができる。
【００５３】
また、横管４に詰まりがない場合には、オーバーフロー管５は、横管４の気相部分と水槽６の気相部分との間において気体を通気させる通気管として機能する。
【００５４】
一方、横管４に汚物等の詰まりが生じた場合には、便器２から横管４に排出された汚物及び搬送水は、横管４から溢れて、オーバーフロー管５に流入する。ここで、オーバーフロー管５は、横管４と床面１０１との間の高さの位置において、横管４から溢れた水を横方向に逃がすように構成される。横管４に汚物等の詰まりが生じた場合には、横管４から溢れた汚物及び搬送水は、オーバーフロー管５における縦オーバーフロー管５１に流入して、横管４と床面１０１との間の高さの位置において、オーバーフロー管５における横オーバーフロー管５２により横方向に搬送されて、水槽６に貯留される。
これにより、便器２の溢れ面２１ａから、汚物及び搬送水が溢れることが抑制される。また、横管４から溢れた汚物及び搬送水を、オーバーフロー管５を介して、水槽６に貯留させることができる。
【００５５】
特に、本実施形態においては、横オーバーフロー管５２は、床面１０１よりも低い位置且つ横管４よりも高い位置において、横方向に延びている。そのため、便器２における床面１０１よりも高い位置において、汚物及び搬送水が溢れることが抑制される。例えば、本実施形態のように、便鉢２１の下端部と接続ソケット２５との接続部分の高さに、横管４からの溢れ水が達することが抑制される。これにより、便鉢２１の下端部と接続ソケット２５との接続部分に配置されるパッキン（図示せず）が劣化等により破損していたとしても、便器２と接続ソケット２５との接続部分から汚物及び搬送水が漏れ出すことが抑制される。
【００５６】
また、オーバーフロー管５は、横管４における複数の便器２のうちの最も上流側の便器２ａよりも上流側の上流部分４ｂに接続されている。そのため、横管４のいずれの場所で詰まりが生じても、横管４を流通する汚物及び搬送水は、オーバーフロー管５に流れ込む。よって横管４に詰まりが生じても、複数の便器２のいずれの溢れ面２１ａからも、汚物及び搬送水が溢れることが抑制される。
【００５７】
また、横管４に詰まりが生じた場合において、汚物及び搬送水が横管４から溢れて縦オーバーフロー管５１に流入した場合には、制御部１０は、水位検知センサ１３により汚物及び搬送水が所定の水位を上回ったと検知すると、循環ポンプ１１を停止させるように制御する。これにより、横管４が詰まった際に、循環ポンプ１１を停止させて、便器２側に汚物及び搬送水が流入することを抑制できる。また、制御部１０は、水位検知センサ１３により所定の水位を上回ったと検知すると、横管４が詰まったことの異常を、報知部（図示せず）により、報知するように制御する。これにより、横管４の詰まりを早期に知らせることができ、早急に、横管４のメンテナンスや修理等を行うことができる。
【００５８】
以上説明した本実施形態のトイレシステム１によれば、以下のような効果を奏する。
【００５９】
本実施形態のトイレシステム１は、複数の便器２と、複数の便器２から排出された汚物及び搬送水を流通させる横管４と、上流側が横管４における複数の便器２のうちの最も上流側の便器２ａよりも上流側の上流部分４ｂに接続されると共に横管４と並行して延びる横オーバーフロー管５２を有するオーバーフロー管５と、横管４におけるオーバーフロー管５が接続された上流部分４ｂよりも上流側に水を供給する循環ポンプ１１と、を備えるトイレシステム１であって、オーバーフロー管５は、複数の便器２の溢れ面２１ａよりも下方の位置に配置される。
【００６０】
そのため、横管４が詰まった場合でも、横管４から溢れる汚物及び搬送水は、オーバーフロー管５に流入する。これにより、便器２の溢れ面２１ａから汚物及び搬送水が溢れることを抑制できる。
【００６１】
また、本実施形態のトイレシステム１は、横管４の下流側に接続され横管４を流通される汚物及び搬送水を貯留する水槽６と、水槽６に貯留される搬送水を横管４における最上流部４ａに循環させる循環配管７と、水槽６に貯留される搬送水を循環配管７に送出する循環ポンプ１１と、を更に備え、供給手段は、循環ポンプ１１である。そのため、搬送水を循環配管７により循環させて、汚物を搬送する搬送水を再利用することができる。よって、汚物の搬送に上水を使用する必要はなく、上水の使用量を低減することができる。
【００６２】
また、本実施形態のトイレシステム１においては、オーバーフロー管５の下流側の端部は、水槽６における気相部分に直接的に又は間接的に接続される。そのため、横管４から溢れた水を、オーバーフロー管５を介して、水槽６に貯留させることができる。また、横管４に詰まりがない場合には、オーバーフロー管５を、横管４の気相部分と水槽６の気相部分との間において気体を通気させる通気管として機能させることができる。
【００６３】
また、オーバーフロー管５の水位を検知する水位検知センサ１３と、水位検知センサ１３で検知された水位が所定の水位を上回った場合に、循環ポンプ１１の駆動を停止させ、又は、外部に異常を報知するように制御する制御部１０と、を備える。そのため、横管４が詰まってオーバーフロー管５に汚物及び搬送水が流入した場合に、循環ポンプ１１による搬送水の循環を止めることができる。また、外部に異常が報知されることで、横管４の詰まりを早期に知らせることができ、早急に、横管４のメンテナンスや修理等を行うことができる。
【００６４】
以上、本発明のトイレシステム１の好ましい一実施形態について説明したが、本発明は、上述した実施形態に制限されるものではなく、適宜変更が可能である。
例えば、前記実施形態においては、循環ポンプ１１を水槽６の液相部に設けたが、これに限定されない。例えば、循環ポンプを循環配管７に設けて、循環配管７を流通する水を循環ポンプにより送出することで、水槽６に貯留される水を循環させてもよい。
【００６５】
また、前記実施形態では、便器２は、錘が取り付けられたバランスアーム部を有するフラッパ弁２４を備える構成としたが、これに限定されず、便器は、フラッパ弁の封止機構を備え、手動操作によりフラッパ弁を開放させる構造を備える構成としてもよい。
【００６６】
また、前記実施形態においては、オーバーフロー管５を、床面１０１と横管４との間の位置で、横管４から溢れた水を逃がすように構成したが、これに限定されない。例えば、オーバーフロー管５を、便器２の溢れ面２１ａと床面１０１との間の位置で、横管４から溢れた水を逃がすように構成してもよい。
【００６７】
また、前記実施形態においては、負圧手段を、水槽６における気相部分に接続したが、これに限定されず、例えば、負圧手段を、横管４の気相部分に接続してもよい。
【００６８】
また、前記実施形態においては、負圧手段を、負圧ファン１２を含んで構成したが、これに限定されない。負圧手段を、例えば、吸引ポンプを含んで構成してもよい。
【００６９】
また、前記実施形態においては、横管４を、複数の便器２の下方に、横方向に延びて配置されるように構成したが、これに限定されない。例えば、横管４を、床面１０１よりも上方において、横方向に延びて配置されるように構成してもよい。
【符号の説明】
【００７０】
１  トイレシステム
２  便器
２ａ  最も上流側の便器
４  横管
４ａ  最上流部
４ｂ  上流部分（接続された部分）
５  オーバーフロー管
６  水槽
７  循環配管（循環ライン）
１０  制御部
１１  循環ポンプ（供給手段）
１３  水位検知センサ
２１ａ  溢れ面
５２  横オーバーフロー管（横管と並行して延びる部分）
【図１】
0006407830.tif 000002